【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】
予め顧客の取引情報を蓄積して記憶する第１の記憶手段と、
該第１の記憶手段に記憶した取引情報に基づいて遅延情報を判断し、ランク分けを行い、将来の遅滞評価を行うリスク評価手段と、
該リスク評価手段による評価結果を、前記顧客毎に記憶する第２の記憶手段と、
前記顧客からのローン設定の依頼に対して、対応する顧客の情報を前記第２の記憶手段から読み出し、ローン設定の可否を判断する判断手段と、
を有することを特徴とするリスク評価を行う管理サーバ。
【請求項２】
予め顧客の取引情報を蓄積して記憶する第１の記憶手段と、該第１の記憶手段に記憶した取引情報に基づいて遅延情報を判断し、ランク分けを行い、将来の遅滞評価を行うリスク評価手段と、該リスク評価手段による評価結果を前記顧客毎に記憶する第２の記憶手段と、前記顧客からのローン設定の依頼に対して対応する顧客の情報を前記第２の記憶手段から読み出しローン設定の可否を判断する判断手段とを有する管理サーバと、
該管理サーバに前記ローン設定の依頼を行う端末機器とを有し、
前記管理サーバと端末機器はネットワークで接続されていることを特徴とするリスク評価に基づくローン設定システム。
【請求項３】
前記遅延情報は、４日以上の延滞を延滞と定義し、一月を越える延滞を月越え延滞と定義し、４日以上一月以下の延滞を月中延滞と定義することを特徴とする請求項１記載のリスク評価を行う管理サーバ。
【請求項４】
前記取引情報は、前記遅延情報は、４日以上の延滞を延滞と定義し、一月を越える延滞を月越え延滞と定義し、４日以上一月以下の延滞を月中延滞と定義することを特徴とする請求項２記載のリスク評価に基づくローン設定システム。
【請求項５】
前記ランク分けは、今後１年間の間に軽度遅滞発生の可能性の債権、中度遅滞発生の可能性の債権、及び要注意債権に分けて行うことを特徴とする請求項１、又は３記載のリスク評価を行う管理サーバ。
【請求項６】
前記ランク分けは、今後１年間の間に軽度遅滞発生の可能性の債権、中度遅滞発生の可能性の債権、及び要注意債権に分けて行うことを特徴とする請求項２、又は４記載のリスク評価に基づくローン設定システム。
【請求項７】
前記判断手段は、ローン設定の可否のみではなく、ローン設定額についても前記評価結果から判断することを特徴とする請求項１、３、又は５記載のリスク評価を行う管理サーバ。
【請求項８】
前記判断手段は、ローン設定の可否のみではなく、ローン設定額についても前記評価結果から判断することを特徴とする請求項２、４、又は６記載のリスク評価に基づくローン設定システム。
【請求項９】
前記ローン設定は、ＡＴＭを使用した支払、又は入金、又は照会処理の後に実行することを特徴とする請求項５記載のリスク評価を行う管理サーバ。
【請求項１０】
前記ローン設定は、ＡＴＭを使用した支払、又は入金、又は照会処理の後に実行することを特徴とする請求項６記載のリスク評価に基づくローン設定システム。
【請求項１１】
予め顧客の取引情報を蓄積して記憶する第１の記憶処理と、該第１の記憶処理に従って記憶した取引情報に基づいて遅延情報を判断し、ランク分けを行い、将来の遅滞評価を行うリスク評価処理と、
該リスク評価処理による評価結果を、前記顧客毎に記憶する第２の記憶処理と、
前記顧客からのローン設定の依頼に対して、対応する顧客の情報を前記第２の記憶処理によって記憶された第２の記憶手段から読み出し、ローン設定の可否を判断する判断処理と、
を行うことを特徴とするリスク評価方法。
【請求項１２】
予め顧客の取引情報を蓄積して記憶する第１の記憶機能と、該第１の記憶機能に従って記憶した取引情報に基づいて遅延情報を判断し、ランク分けを行い、将来の遅滞評価を行うリスク評価機能と、
該リスク評価機能による評価結果を、前記顧客毎に記憶する第２の記憶機能と、
前記顧客からのローン設定の依頼に対して、対応する顧客の情報を前記第２の記憶機能によって記憶した第２の記憶手段から読み出し、ローン設定の可否を判断する判断機能と、
を含むプログラムであり、コンピュータが実行可能なリスク評価に基づくローン設定プログラム。
【請求項１３】
予め顧客の取引情報を蓄積して記憶する第１の記憶機能と、該第１の記憶機能に従って記憶した取引情報に基づいて遅延情報を判断し、ランク分けを行い、将来の遅滞評価を行うリスク評価機能と、
該リスク評価機能による評価結果を、前記顧客毎に記憶する第２の記憶機能と、前記顧客からのローン設定の依頼に対して、対応する顧客の情報を前記第２の記憶機能によって記憶した第２の記憶手段から読み出し、ローン設定の可否を判断する判断機能と、
を含むプログラムを記憶した記録媒体であり、コンピュータが実行可能な記録媒体。
【手続補正２】
【補正対象書類名】明細書
【補正対象項目名】０００６
【補正方法】変更
【補正の内容】
【０００６】
【課題を解決するための手段】
上記課題を解決するため請求項１記載の発明は、予め顧客の取引情報を蓄積して記憶する第１の記憶手段と、該第１の記憶手段に記憶した取引情報に基づいて遅延情報を判断し、ランク分けを行い、将来の遅滞評価を行うリスク評価手段と、該リスク評価手段による評価結果を、前記顧客毎に記憶する第２の記憶手段と、前記顧客からのローン設定の依頼に対して、対応する顧客の情報を前記第２の記憶手段から読み出し、ローン設定の可否を判断する判断手段とを有するリスク評価を行う管理サーバを提供することによって達成できる。
【手続補正３】
【補正対象書類名】明細書
【補正対象項目名】０００８
【補正方法】変更
【補正の内容】
【０００８】
また、前記遅延情報は、４日以上の延滞を延滞と定義し、一月を越える延滞を月越え延滞と定義し、４日以上一月以下の延滞を月中延滞と定義すし、更には個人情報等が利用され、与信の際のリスク評価に使用される。また、この評価は予め銀行の顧客に対して行い、データベースに登録しておく。
【手続補正４】
【補正対象書類名】明細書
【補正対象項目名】００１０
【補正方法】変更
【補正の内容】
【００１０】
上記課題を解決するため請求項２記載の発明は、予め顧客の取引情報を蓄積して記憶する第１の記憶手段と、該第１の記憶手段に記憶した取引情報に基づいて遅延情報を判断し、ランク分けを行い、将来の遅滞評価を行うリスク評価手段と、該リスク評価手段による評価結果を前記顧客毎に記憶する第２の記憶手段と、前記顧客からのローン設定の依頼に対して対応する顧客の情報を前記第２の記憶手段から読み出しローン設定の可否を判断する判断手段とを有する管理サーバと、該管理サーバに前記ローン設定の依頼を行う端末機器とを有し、前記管理サーバと端末機器はネットワークで接続されているリスク評価に基づくローン設定システムを提供することによって達成できる。
【手続補正５】
【補正対象書類名】明細書
【補正対象項目名】００１３
【補正方法】変更
【補正の内容】
【００１３】
請求項５及び６の記載は、例えば前記ランク分けは、今後１年間の間に軽度遅滞発生の可能性の債権、中度遅滞発生の可能性の債権、及び要注意債権に分けて行うことを特徴とする。
【手続補正６】
【補正対象書類名】明細書
【補正対象項目名】００１９
【補正方法】変更
【補正の内容】
【００１９】
上記課題を解決するため請求項１１記載の発明は、予め顧客の取引情報を蓄積して記憶する第１の記憶処理と、該第１の記憶処理に従って記憶した取引情報に基づいて遅延情報を判断し、ランク分けを行い、将来の遅滞評価を行うリスク評価処理と、該リスク評価処理による評価結果を、前記顧客毎に記憶する第２の記憶処理と、前記顧客からのローン設定の依頼に対して、対応する顧客の情報を前記第２の記憶処理によって記憶された第２の記憶手段から読み出し、ローン設定の可否を判断する判断処理とを行うリスク評価方法を提供することによって達成できる。
【手続補正７】
【補正対象書類名】明細書
【補正対象項目名】００２１
【補正方法】変更
【補正の内容】
【００２１】
上記課題を解決するため請求項１２記載の発明は、予め顧客の取引情報を蓄積して記憶する第１の記憶機能と、該第１の記憶機能に従って記憶した取引情報に基づいて遅延情報を判断し、ランク分けを行い、将来の遅滞評価を行うリスク評価機能と、該リスク評価機能による評価結果を、前記顧客毎に記憶する第２の記憶機能と、前記顧客からのローン設定の依頼に対して、対応する顧客の情報を前記第２の記憶機能によって記憶した第２の記憶手段から読み出し、ローン設定の可否を判断する判断機能とを含むプログラムであり、コンピュータが実行可能なリスク評価に基づくローン設定プログラムを提供することによって達成できる。
【手続補正８】
【補正対象書類名】明細書
【補正対象項目名】００２３
【補正方法】変更
【補正の内容】
【００２３】
上記課題を解決するため請求項１３記載の発明は、予め顧客の取引情報を蓄積して記憶する第１の記憶機能と、該第１の記憶機能に従って記憶した取引情報に基づいて遅延情報を判断し、ランク分けを行い、将来の遅滞評価を行うリスク評価機能と、該リスク評価機能による評価結果を、前記顧客毎に記憶する第２の記憶機能と、前記顧客からのローン設定の依頼に対して、対応する顧客の情報を前記第２の記憶機能によって記憶した第２の記憶手段から読み出し、ローン設定の可否を判断する判断機能とを含むプログラムを記憶した記録媒体であり、コンピュータが実行可能な記録媒体を提供することによって達成できる。